(57)【特許請求の範囲】
【請求項１】
立設された支柱に取付られた照明部と、前記照明部に電力を供給するためのソーラーパネルとを備えた照明灯であって、前記ソーラーパネルに設けられた円筒状の支持柱が、該照明部上に設けられた円筒状の受け柱に回動可能に嵌合され、かつ前記支持柱の内部には、隙間を残して径方向に延びる上板が設けられ、前記受け柱には隙間を残して径方向に延びる下板が設けられ、前記上板と下板とは、上下に間隔をおいて配置され、前記上板と下板とを上下に貫通する接続ボルトを介して互いに締結されるとともに、前記上板及び下板のいずれか一方には、前記接続ボルトの螺子部が挿通可能な孔部が形成され、他方には、前記螺子部が螺合する雌螺子部が形成されると共に、前記孔部と螺子部とは嵌合された支持柱及び受け柱の中心軸に沿って配置されていることを特徴とする照明灯。
【発明の詳細な説明】
【技術分野】
【０００１】
本発明は、太陽電池により起電された電力を用いて照明を行う照明灯に関するものである。
【背景技術】
【０００２】
一般に、太陽電池を利用して発電した電力を利用して照明を行う照明灯としては、様々なものが提案されている。
【０００３】
例えば、特許文献１には、光源の光を外部に出射させる本体と、ソーラーパネルを有し前記本体の上部に取付けられる頭部とを備え、前記頭部の前記本体に対する垂直軸回りの向きをＮ個の向きのうちの任意に選択した向きとなるよう変更して前記頭部を前記本体に対して取付けることができる足下灯が提案されている。
【０００４】
また、本出願人においても、三体以上の立設された支柱と、自然エネルギーを利用した風力、太陽光等の自然エネルギー発電手段と、該自然エネルギー発電手段により生起された電力を用いて照明を行う照明手段とを備え、前記三体以上の支柱に囲まれた空間内に、前記自然エネルギー発電手段及び前記照明手段とが支柱に取付けられて設けられた自然エネルギー利用照明灯を提案している。
【先行技術文献】
【特許文献】
【０００５】
【特許文献１】特開２００１−１４９０７号公報
【特許文献２】特開２００６−７３３７８号公報
【発明の概要】
【発明が解決しようとする課題】
【０００６】
しかしながら、前記の足元灯には次のような問題点があった。すなわち、垂直軸回りの向きを多く選択可能するにはＮ数を増やせばよいが、任意の角度で調整可能にすることは困難であった。また、Ｎ数を増やせば、それに応じて頭部と本体とを接続するための接続具の数量も増えるので、取付作業や取外作業が煩雑になるものであった。
【０００７】
本発明は、前記の如き問題点を解消し、照明部に対してソーラーパネルの位置を任意の方角で固定できる照明灯を提供せんとするものである。
【課題を解決するための手段】
【０００８】
上記目的を達成するために、本発明は次のような構成としている。
【０００９】
すなわちこの発明に係る照明灯は、立設された支柱に取付られた照明部と、前記照明部に電力を供給するためのソーラーパネルとを備えた照明灯であって、前記ソーラーパネルに設けられた円筒状の支持柱が、該照明部上に設けられた円筒状の受け柱に回動可能に嵌合され、かつ前記支持柱の内部には、隙間を残して径方向に延びる上板が設けられ、前記受け柱には隙間を残して径方向に延びる下板が設けられ、前記上板と下板とは、上下に間隔をおいて配置され、前記上板と下板とを上下に貫通する接続ボルトを介して互いに締結されるとともに、前記上板及び下板のいずれか一方には、前記接続ボルトの螺子部が挿通可能な孔部が形成され、他方には、前記螺子部が螺合する雌螺子部が形成されると共に、前記孔部と螺子部とは嵌合された支持柱及び受け柱の中心軸に沿って配置されていることを特徴とするものである。
【発明の効果】
【００１１】
本発明によれば、前記ソーラーパネルに設けられた円筒状の支持柱が、該照明部上に設けられた円筒状の受け柱に回動可能に嵌合されているので、受け柱に対して支持柱を任意の角度に設定してソーラーパネルの受光面の位置を調整することが可能であり、加えて、前記支持柱の内部には、隙間を残して径方向に延びる上板が設けられ、前記受け柱には隙間を残して径方向に延びる下板が設けられると共に、前記上板と下板とは、上下に間隔をおいて配置されているので、前記隙間どうしの位置関係によらずソーラーパネルと照明部との結線が容易であり、更に前記上板と下板とは、接続ボルトを介して締結されているので、外から接続ボルトを容易には外すことができない。
【００１２】
また本発明によれば、前記上板及び下板のいずれか一方に、前記接続ボルトの螺子部が挿通可能な孔部を形成し、他方に前記螺子部が螺合する雌螺子部を形成すると共に、前記孔部と螺子部とを嵌合された支持柱及び受け柱の中心軸に沿って配置しているので、ソーラーパネルの受光面と照明部の照明方向を調整した後でも、接続ボルトの締結作業が容易となる。
【図面の簡単な説明】
【００１３】
【図１】本発明に係る照明灯において実施の一形態を示す正面図である。
【図２】本発明に係る照明灯において実施の一形態を示す側面図である。
【図３】照明部の説明図である。
【図４】照明部の主要部の部分分解説明図である。
【図５】照明部の他の主要部の部分分解説明図である。
【図６】照明部の他の主要部の部分分解説明図である。
【図７】図６の部分分解図である。
【図８】照明部の他の主要部の部分分解説明図である。
【図９】図１のＡ−Ａ断面の拡大図である。
【図１０】図９の説明図である。
【図１１】図９の部分分解説明図である。
【図１２】本発明に係る照明灯において実施の他の形態を示す説明図である。
【発明を実施するための形態】
【００１４】
次に、本発明を実施するための最良の形態について図面を参照し、具体的に説明する。
【００１５】
すなわち、図１〜２は本発明に係る照明灯Ｐの実施の一形態を示すものであり、図１はその正面図、図２は側面図である。１は周囲を照らすための照明部、２は設置面に立設されて照明部１を支持する支柱、３は照明部に電力を供給するソーラーパネル、４はソーラーパネル３を支持する円筒状の支持柱、５は照明部１の上端に設けられて支持柱４に外嵌される円筒状の受け柱であり、照明灯Ｐは、照明部１、支柱２、ソーラーパネル３、支持柱４及び受け柱５から主に構成されており、ソーラーパネル３で発電した電力を利用して照明部１によって設置面の周囲を照らすものである。
【００１６】
支柱２は、設置面に立設されると共に、照明部１を適宜高さに取付けられる形態であれば特に限定されるものではなく、本実施形態では、アンカーボルト（図示せず）等によって設置面上に固定される平板状のベース部２１と、該ベース部２１から間隔をおいて立ち上がる２個の脚部２２とを備えている。そして、この２個の脚部２２の間に照明部１が取付けられている。なお、２４は、２個の脚部２２を連結する連結具である。
【００１７】
ベース部２１及び脚部２２は、一般には強度的に安定しておりコストの安い鋼板を適宜加工したものを溶接手段等により接合したものが好適に用いられるが、ステンレス合金、アルミニウム合金などの他の金属からなる板材を用いてもよい。またベース部２１及び脚部２２の耐食性や耐候性を高めるために金属めっきや塗装を施してもよい。
【００１８】
支柱２は、本実施形態に限られるものではなく、例えば、図１２は他の実施形態を示す（ａ）正面図、（ｂ）側面図であり、支柱２の脚部２２を角柱状とし、該脚部２２の上端に照明部１を取付けた形態でもよい。
【００１９】
図３−８は照明部１の説明図である。照明部１は、ソーラーパネル３で発電した電力を蓄電する蓄電池１１と、蓄電池１１の蓄放電を調整して灯部１２に電力を供給する制御部１３と、これら蓄電池１１、灯部１２及び制御部１３とを収納する筐体１４とからなり、前記蓄電池１１、灯部１２及び制御部１３は、リード線６によって結線されている。そして前記灯部１２を正面にして、筐体１４が支柱２の脚部２２の間に配置されている。
【００２０】
筐体１４は、図３に示すように、該筐体１４の内部に蓄電池１１、灯部１２、制御部１３を収納する収納空間１４ａを有し、該収納空間１４ａ内に前記蓄電池１１等を固定できるものであればよい。該筐体１４には、収納空間１４ａ内に前記蓄電池１１等を出し入れするための開口部１４ｂが背面側に形成され、前記開口部１４ｂは固定ビスＢ１、ワッシャＷ１及び開口部１４ｂの外縁部に沿って配置されるパッキンＰを介して開閉蓋１５により開閉される。
【００２１】
蓄電池１１は、灯部１２が必要時間点灯するための電力を蓄電できるものであればよい。本実施形態では、図４に示すように、蓄電池１１の後部に弾性材１６が配置され、そして前記開口部１４ｂに開閉蓋１５が取付けられると、開閉蓋１５によって前記弾性材１６が前方に押圧され、該蓄電池１１の前面が筐体１４の前面側内壁に取付けられた当たり金具１４ｃに当接され、該蓄電池１１が筐体１４内で固定される。
【００２２】
灯部１２の形態は、通行人の足元を照射できる位置に固定されるものであればよい。本実施形態では、図５に示すように、灯部１２からレンズ部１２ａを通って照射された光が、筐体１４に形成された開口窓１４ｄから外部に向けて照射するものである。そして固定ビスＢ２、ワッシャＷ２によって前記灯部１２が開口窓１４ｄの縁部に固定され、該開口窓１４ｄを内側から塞いでいる。開口窓１４ｄは、斜め下向きに開口しているので、通行人の足元を効果的に照射し、また開口窓１４ｄから筐体１４内に雨水等が浸入しにくくなっている。
【００２３】
制御部１３は、本実施形態では、図６−７に示すように、該制御部１３の下部に設けられた基板１３ａの両側端部が、筐体１４内の左右の内壁面に相対向して取付けられた取付部材１７に設けられた断面コ字状の取付溝１７ａにそれぞれ差し込まれて、筐体１４内に取付けられている。また開閉蓋１５を筐体１４に取付けたときに、開閉蓋１５ａの前面に設けられた庇部１５ａは、制御部１３の上方に配置されるため、筐体１４の上方から雨水等の水分が落ちてきても、制御部１３には直接滴下しにくい。
【００２４】
筐体１４は、本実施形態では、図８に示すように、２個の脚部２２の間に架設された倒コ字状の載置台２３上に載置されている。更に具体的には、筐体１４の底部１４ｅが二重底であり、底部１４ｅ内の２個の底板間にナットＮ３が配置されている。そして、載置台２３に設けられた孔からナットＮ３に向けて固定ボルトＢ３が螺合され、筐体１４が載置台２３上に固定される。これにより、外部から固定ボルトＢ３が目立ちにくく、また、収納空間１４ａ内に蓄電池１１等を固定する時に、ナットＮ３と干渉しない。
【００２５】
図９は、図１のＡ−Ａ断面の拡大図である。ソーラーパネル３は、一般には太陽電池セル３１と、受光面側に配置される透明な合成樹脂層３２と、その反対側に配置される金属板３３とからなる薄板状のモジュール３４と、該モジュール３４の受光面を斜め上方に向けて支持する架台３５とを備えている。本実施形態では、ガラス製の透明板３６が、前記合成樹脂層３２に対して間隔をあけて取付けられており、合成樹脂層３２に傷や埃が付着しにくく、また透明板３６に付着した埃等は容易に除去できるので、受光効率が高く、その状態を長期間保持することができる。
【００２６】
図９―１１は、照明部１とソーラーパネル３との接続構造を示す説明図である。架台３５の背面からは円筒状の支持柱４が下方に垂下されている。一方照明部１の上端からは上方に向けて円筒状の受け柱５が立設されている。そして前記支持柱４が該受け柱５に回動可能に外嵌されている。これにより、照明部１の灯部１２の照射方向を任意に設定し、かつソーラーパネル３の受光面の方角を任意に設定することができる。
【００２７】
ソーラーパネル３で発電した電力は、モジュール３４の裏面から架台３５、支持柱４及び受け柱５の中を通って、筐体１４の収納空間１４ａ内の制御部１３にリード線６を介して結線されており、前記電力は制御部１３を経由して蓄電池１１に蓄電することができる。
【００２８】
支持柱４及び受け柱５は、一般には強度的に安定しておりコストの安い鋼管を適宜加工したものが好適に用いられるが、ステンレス合金、アルミニウム合金などの他の金属からなる板材を用いてもよい。また耐食性や耐候性を高めるために金属めっきや塗装を施してもよい。
【００２９】
図１０は、図９の説明図であり、（ａ）はＢ−Ｂ断面、（ｂ）はＣ−Ｃ断面の拡大断面図である。上記支柱柱４の内部には、受け柱５の上端より上方にリード線６を上下方向に通すための隙間４１を残して径方向に延びる上板４２が溶接手段等により接合されている。また前記受け柱５の下端部にも、前記上板４２と上下方向に間隔をあけた位置に、リード線６を上下方向に通すための隙間５１を残して径方向に延びる下板５２が溶接手段等により接合されている。
【００３０】
これにより、受け柱５に対して支持柱４が任意の方向に回して、隙間４１と隙間５１との上下位置が平面視重なっていなくても、上板４２及び下板５２の間に空間が形成されているので、ソーラーパネル３と照明部１の制御部２２とを結線するリード線６を支柱柱４及び受け柱５内を上下方向に通すことができる。
【００３１】
前記支持柱４の上板４２と前記受け柱５の下板５２とが上下に貫通する接続ボルト７を介して接続されている。これにより、接続ボルト７は外部からは操作できないので、ソーラーパネル３は受け柱５からは容易には外されない。
【００３２】
図１１は、図９の主要部の部分分解図である。支持柱４の上板４２は、該支持柱４の上下方向の中心軸上に螺子部４３が設けられ、受け柱５の下板５２には、支持柱４の上下方向の中心軸上に接続ボルト７の螺子部７１より大径の貫通孔５３が設けられている。これにより、ソーラーパネル３の受光面の方角によらず、筐体１４の収納空間１４ａに接続ボルト７を入れ、該接続ボルト７の螺子部７１を下板５２の下方からワッシャＷ４を介して貫通孔５３に通して螺子部４３に螺着させることができる。
【００３３】
上板４２の螺子部４３の形態は、本実施形態のように、上板４２に孔を設けてその孔の上方又は下方にナット４４を取付けた形態でもよく、またバーリング加工等によって上板４２に雌螺子部（図示せず）を形成した形態でもよい。
【００３４】
受け柱５の下部は、照明部１の筐体１４の上面を貫通して収納空間１４ａ内に達しており、更に、該下板５２は、筐体１４の開口部１４ｂから視認可能な受け柱５の下端部に設けられているので、接続ボルト７の取付作業が容易となる。
【００３５】
受け柱５の外周部には、支持柱４を受け柱５に外嵌した時に、支持柱４の下端が載置される外受け柱５４が設けられている。これにより、支持柱４を受け柱５に外嵌させた時に、支持柱４の下端が照明部１の上端面に直接接触しないので、受け柱５と照明部１の上端面とを接合した溶接部等に接触して、接触箇所に傷が発生したり、支持柱４が傾いたりする不具合を抑えることができる。
【００３６】
外受け柱５４は、受け柱５と同様に、一般には強度的に安定しておりコストの安い鋼管を適宜加工したものが好適に用いられるが、ステンレス合金、アルミニウム合金などの他の金属からなる板材を用いてもよい。また耐食性や耐候性を高めるために金属めっきや塗装を施してもよい。
【００３７】
また本実施形態では、支持柱４と外受け柱５４との外径は同程度であり、受け柱５の外径は、支柱柱４の内径よりやや小さいので、支持柱４に螺子孔４５を設け、外側から受け柱５に向けて固定ビスＢ５を螺着させて、該固定ビスＢ５の先端を受け柱５に突き当てることにより、設置後における受け柱５に対する支持柱４の不必要な回動を防止している。
【符号の説明】
【００３８】
１    照明部
２    支柱
３    ソーラーパネル
４    支持柱
４１  隙間
４２  上板
４３  螺子部
５    受け柱
５１  隙間
５２  下板
５３  貫通孔
６    リード線
７    接続ボルト
Ｐ    照明灯
【図１】
0005567939.tif 000002
【図２】
0005567939.tif 000003
【図３】
0005567939.tif 000004
【図４】
0005567939.tif 000005
【図５】
0005567939.tif 000006
【図６】
0005567939.tif 000007
【図７】
0005567939.tif 000008
【図８】
0005567939.tif 000009
【図９】
0005567939.tif 000010
【図１０】
0005567939.tif 000011
【図１１】
0005567939.tif 000012
【図１２】
0005567939.tif 000013